(57)【要約】【課題】  カラオケにおいて、ユーザの持ち歌が増えてきた場合、持ち歌の中から所望の楽曲を探すのに手間取ってしまう。歌うシチュエーションや目的に合わせて速やかに選曲できるようにしたい。【解決手段】  ユーザ個人毎の持ち歌を、複数のグループ・サブグループを設けて、目的に応じて整理する。加えて、歌唱時の音量やエコー等の歌唱時の環境に係る属性情報を持ち歌ごとに保存し、所望の楽曲を速やかに所望の属性で歌えるようにした。【選択図】図１
2015108699.tif 000002
【特許請求の範囲】
【請求項１】
楽曲データベースとユーザデータベースを有し、ユーザは任意の楽曲を持ち歌としてユーザデータベースに登録でき、カラオケ利用時に持ち歌登録楽曲を選曲してカラオケ装置に演奏予約指示をすることができるカラオケシステムにおいて、
ユーザデータベースに複数の持ち歌テーブルを持つことを特徴とするカラオケシステム。
【請求項２】
楽曲データベースとユーザデータベースを有し、ユーザは任意の楽曲を持ち歌としてユーザデータベースに登録できるカラオケシステムにおいて、
ユーザデータベースの持ち歌テーブルに、１つまたは複数のサブフォルダを形成し、持ち歌登録楽曲をサブフォルダに割り振ることができ、
ユーザはカラオケ利用時に持ち歌登録楽曲全曲リスト又は各前記サブフォルダの登録曲リストから選曲し、カラオケ装置に演奏予約指示をすることができることを特徴とするカラオケシステム。
【請求項３】
楽曲データベースとユーザデータベースを有し、ユーザは任意の楽曲を持ち歌としてユーザデータベースに登録できるカラオケシステムにおいて、
持ち歌毎に、音響・映像情報等の属性情報を設定することができ、ユーザ毎の持ち歌を蓄積する際、前記持ち歌毎に、前記属性情報を付加して蓄積可能とするとともに、同一楽曲を複数保存できることを妨げないことを特徴とした前記請求項１または請求項２記載のカラオケシステム。
【発明の詳細な説明】
【技術分野】
【０００１】
本発明は、カラオケ演奏におけるユーザの持ち歌を管理するカラオケシステムに関する。
【背景技術】
【０００２】
昨今のカラオケは、ユーザの多機能携帯端末（スマートフォン）をカラオケのリモコンとして使用できるようになり、利用者は自分のスマートフォンで歌唱したい楽曲を手軽に検索することができるようになってきた。
【０００３】
また、ユーザは検索した楽曲からお気に入りを選択して自分のレパートリー（持ち歌）として保存することもできる。
【先行技術文献】
【特許文献】
【０００４】
【特許文献１】特開2003-140666号公報
【特許文献２】特開2004-233723号公報
【発明の概要】
【発明が解決しようとする課題】
【０００５】
特許文献１は、各地で営業している不特定のカラオケ店に入ったユーザが選曲リモコン装置に自分の持ち歌リストを表示させて、その中から曲を選んでカラオケ演奏装置に予約できるようにするというものである。
【０００６】
特許文献２は、ユーザインタフェース手段と、楽曲索引データベースと、個人別曲目リストの保存手段と、個人別曲目リストを表示して選曲を促す手段と、待ち行列に従ってカラオケ伴奏音楽を順番に演奏する手段と、待ち行列中の楽曲について関連楽曲検索メニューを利用者に提示する手段と、ある楽曲Ａについて関連楽曲検索メニュー中の項目が利用者により特定されると、当該項目について楽曲Ａと同じ属性分類に属する関連楽曲を楽曲索引データベースから検索する手段と、関連楽曲中で個人別曲目リストに一致する関連持ち歌楽曲を抽出する手段と、関連楽曲と関連持ち歌楽曲とを区別して利用者に提示する手段と、提示された楽曲から利用者が指定した楽曲を待ち行列中の楽曲Ａのつぎに登録する手段とを備えている。
【０００７】
特許文献１および特許文献２のように、ユーザ個人に特化した持ち歌リストは以前から存在するが、持ち歌リストをさらに細分化して分類するという出願は知見していない。
【課題を解決するための手段】
【０００８】
本発明の請求項１は、楽曲データベースとユーザデータベースを有し、ユーザは任意の楽曲を持ち歌としてユーザデータベースに登録でき、カラオケ利用時に持ち歌登録楽曲を選曲してカラオケ装置に演奏予約指示をすることができるカラオケシステムにおいて、
ユーザデータベースに複数の持ち歌テーブルを持つというものである。
【０００９】
本発明の請求項２は、楽曲データベースとユーザデータベースを有し、ユーザは任意の楽曲を持ち歌としてユーザデータベースに登録できるカラオケシステムにおいて、
ユーザデータベースの持ち歌テーブルに、１つまたは複数のサブフォルダを形成し、持ち歌登録楽曲をサブフォルダに割り振ることができ、
ユーザはカラオケ利用時に持ち歌登録楽曲全曲リスト又は各前記サブフォルダの登録曲リストから選曲し、カラオケ装置に演奏予約指示をすることができるというものである。ユーザは、例えば練習の進捗具合や参加するグループや相手に合わせて、「これから練習予定」「練習中」「社内用」「デート用」など自由に分類することができる。
【００１０】
本発明の請求項３は、請求項１または請求項２のカラオケシステムにおいて、持ち歌毎に、音響・映像情報等の属性情報を設定することができ、ユーザ毎の持ち歌を蓄積する際、前記持ち歌毎に、前記属性情報を付加して蓄積可能とするとともに、同一楽曲を複数保存することも妨げないというものである。例えば同一楽曲であっても、目的により属性を変えて複数保存することもできる。
【発明の効果】
【００１１】
これにより、ユーザは、リモコンとして動作する自分の多機能携帯端末を使って持ち歌を、カラオケ店に入室する以前に、歌唱練習の進捗度（これから練習したい曲、練習中、練習完了曲など）に分類したり、参加するグループや相手によって分類することにより、カラオケ店に入ったあと選曲が速やかにできる。
【図面の簡単な説明】
【００１２】
【図１】リモコンのトップ画面の例
【図２】持ち歌１リスト表示画面
【図３】持ち歌２リスト表示画面
【図４】持ち歌サブフォルダ表示選択画面
【図５】サブフォルダの内容表示画面
【図６】属性情報の設定／表示画面
【発明を実施するための形態】
【００１３】
図１は、多機能携帯端末をカラオケのリモコンとして使用する際のトップ画面の一般的なイメージである。
【００１４】
図１の持ち歌１ボタン１をタップすると、図２の持ち歌１リスト表示画面となり、図１の持ち歌２ボタン２のタップで図３の持ち歌２リスト表示画面が表示される。
図２において、持ち歌１に登録されている全曲が表示されている。持ち歌２ボタン３をタップすると図３の持ち歌２リスト表示画面に移動できる。また予約ボタン６で歌唱予約ができ、移動ボタン７のタップで持ち歌１内のサブフォルダに移動できる。
サブフォルダ表示切替ボタン５をタップすると図４のようなドラム形式のサブフォルダメニュー１１が現れ、持ち歌１内のサブフォルダの選択が可能となる。
【００１５】
ここで「会社用」をタップすると図５のような「会社用」サブフォルダに分類された楽曲が表示される。同時にサブフォルダ表示切替ボタン５がサブフォルダ名「会社用」に変化する。
また持ち歌２ボタン３のタップで図３の持ち歌２リスト表示画面に移動することができる。
また楽曲をフリックすることで、当該楽曲が移動し、表示順の移動も可能である。
【００１６】
図６は、請求項３で述べている属性情報を設定する画面の例である。具体的にはこの画面で設定される情報が属性情報として楽曲に付加されて予約することができる。また、同一楽曲が違う属性情報とともに別々に持ち歌登録されることも妨げない。
【符号の説明】
【００１７】
１・・・・持ち歌１ボタン
２・・・・持ち歌２ボタン
３・・・・持ち歌２ボタン
５・・・・サブフォルダ表示切替ボタン
６・・・・予約ボタン
７・・・・移動ボタン
８・・・・持ち歌１ボタン
１１・・・サブフォルダメニュー
【図１】
2015108699.tif 000003
【図２】
2015108699.tif 000004
【図３】
2015108699.tif 000005
【図４】
2015108699.tif 000006
【図５】
2015108699.tif 000007
【図６】
2015108699.tif 000008